(57)【要約】【課題】シュレッダーにおいて、細断屑を屑収容箱にできるだけ均等にならし、さらに圧縮して収容量を増大させる細断屑ならし圧縮装置を提供する。【解決手段】シュレッダーの箱体の中段に架設したベース板の下面にモーターベース板を介して細断屑のならし用モーターを取り付け、該ならし用モーターの軸に細断屑をならすローラーユニットを取り付けるという手段を採用した。そして、ローラーユニットは、ならし用モーターの軸に取り付けるユニット芯に放射状に複数のローラーを取り付けたものとした。また、ローラーユニットが一定時間間隔で正逆交互に回転するようにした。さらに、ならし用モーターを鉛直方向に対して所定の角度傾けて取り付け、ローラーユニットがシュレッダーの扉側を持ち上げた傾斜面で回転するようにした。【選択図】　図１
2004008965.tif 000002
【特許請求の範囲】
【請求項１】
シュレッダーの箱体の中段に架設したベース板の下面にモーターベース板を介して細断屑のならし用モーターを取り付け、該ならし用モーターの軸に細断屑をならすローラーユニットを取り付けたことを特徴とするシュレッダーの細断屑ならし圧縮装置。
【請求項２】
ローラーユニットは、上記ならし用モーターの軸に取り付けるユニット芯に放射状に複数のローラーを取り付けたものである請求項１記載のシュレッダーの細断屑ならし圧縮装置。
【請求項３】
ローラーユニットが一定時間間隔で正逆交互に回転するようにした請求項１または請求項２記載のシュレッダーの細断屑ならし圧縮装置。
【請求項４】
ならし用モーターを鉛直方向に対して所定の角度傾けて取り付け、ローラーユニットがシュレッダーの扉側を持ち上げた傾斜面で回転するようにした請求項１から請求項３のいずれか１項記載のシュレッダーの細断屑ならし圧縮装置。
【請求項５】
ローラーユニットの扉側を除いた三方向の側面に屑拡散防止枠を設けた請求項１から請求項４のいずれか１項記載のシュレッダーの細断屑ならし圧縮装置。
【発明の詳細な説明】
【０００１】
【発明の属する技術分野】
本発明は、シュレッダーの細断屑収容箱に落下、収容された細断屑の山をできるだけ均等にならし、かつ圧縮して、収容箱に収容される細断屑の量を増加させようとする細断屑ならし圧縮装置に関するものである。
【０００２】
【従来の技術】
従来、シュレッダーによって細断された細断屑は、細断部の下方に設置された細断屑収容箱に落下、収容され、この細断屑収容箱が満杯になると満杯検知センサーが満杯を検知して細断部の細断動作を停止するようになっている。そして、細断動作停止後に作業者が扉を開けて、満杯の細断屑収容箱を取り出し、細断屑を廃棄している。
【０００３】
この細断屑はもとの紙束の容積と比較すると格段に容積が増大するので、細断屑を圧縮しないと細断屑収容箱がすぐに満杯になり、細断屑の取り出しや廃棄作業が頻繁に発生し、非常に煩雑であった。
【０００４】
また、シュレッダーはその機構上、細断機構が所定の位置に固定されているため、細断屑は同じ位置に落下し続けるので、細断屑収容箱の一ヶ所にのみ細断屑の山ができ、収容箱の容積に余裕があるにもかかわらず満杯検知センサーが働き、細断動作が停止していた。そのため収容箱の容積を十分に活用できず、結果的に細断屑の取り出し廃棄作業が頻繁に発生し、多大な手間を要していた。
【０００５】
このように、従来のシュレッダーにおいては、細断刃の細断能力や安全性の向上は重要な課題であったが、それと並んで、細断屑を圧縮することや細断屑をできるだけ均等に細断屑収容箱にならして収容し、収容容積率を向上させることもまた、シュレッダーの利便性を向上させる観点から重要な課題であった。
【０００６】
【発明が解決しようとする課題】
このような状況に鑑み、従来からシュレッダーにおいて、細断屑のならし動作について種々の提案がなされている。例えば、実開昭６３−７３１４９号公報に開示された文書細断機の細断屑分散装置では、細断屑排出口と屑収容箱の間に回転羽根を設け、細断屑を屑収容箱内に均等分散させるようにしたものが開示されている。また、特開平７−１４４１４３号公報にも、屑収容箱の上方に屑ならし羽根を具備したファン機構からなる屑ならし手段を取り付けたシュレッダーの細断屑ならし装置が開示されている。
【０００７】
しかしながら、これらのならし装置は、細断屑を均等に屑収容箱内に落下させるようにしたものであり、屑を圧縮する作用はなかった。また、屑収容箱の出し入れが簡単となるようにするため、回転羽根等を屑収容箱の上方に設置しているので、回転羽根等の回転力によって細断屑が四方に飛び散り、屑収容箱の周囲から脱落するおそれがあった。
【０００８】
一方、細断屑の圧縮装置としては、例えば実公昭５５−５２９１４号公報や実公昭５５−４１４３８号公報に開示されている。これらは屑収容箱の開口部を覆って圧縮体や押圧板を上下動させ細断屑等を圧縮しようとするものである。
【０００９】
しかしながら、これらの圧縮装置は圧縮体等の昇降機構が複雑であったほか、上記ならし機構と併用することのできないものであった。
【００１０】
このため、例えば特開平９−１５５２１６号公報では、上部に投入口を備えた本体と、前記本体内に設けられ、前記投入口から投入されるゴミを細かく切断する切断器と、前記本体に対して挿入及び離脱が可能なように前記切断器の下方に設けられ、落下してくるゴミを収納するための収納容器と、前記本体内において前記切断器と前記収納容器との間に設けられ、鉛直方向の回転軸を有して前記切断器から落下するゴミを下方に送り出す方向に回転するとともに、当該回転によって前記収納容器に収納されたゴミの上面を押さえるための複数の羽根部材を備えた圧縮装置と、を有してなるゴミ処理装置が開示されている。また、特開平１１−１５６２２２号公報では、本体ケースの上部に内蔵され、投入口から投入された紙葉類を細断する細断機構と、本体ケースの下部に引出し可能に収納され、細断機構からの細断屑を収納するゴミ容器と、細断機構とゴミ容器との間に配設されたプレス機構と、プレス機構またはゴミ容器のうちの少なくともいずれか一方を昇降させ、プレス機構がゴミ容器上方の停止位置とゴミ容器内の作動位置との２位置を取るようにする昇降機構と、プレス機構またはゴミ容器のうちの少なくともいずれか一方を回転させる回転駆動機構と、を備え、前記プレス機構は、ゴミ容器内の細断屑の表面を均すスクレーパ部と、ゴミ容器内の細断屑の表面を圧下するプレス部とを具備するシュレッダが開示されている。
【００１１】
しかし、前者のゴミ処理装置では、羽根部材は一方向に回転し、落下した細断ゴミは羽根に当たり、羽根部材の上面を滑り落ちて収容容器内に落下する。そして溜まった細断ゴミは羽根部材の下面によって下方へ押しつけられ、圧縮される。このため、方形の屑箱内で、細断屑は一ヶ所にかたまって溜まってしまい、屑箱全体に均等に細断屑を収容することができなかった。また、羽根部材の回転面は収納容器の開口部より小さいため、羽根部材の回転面の外側では圧縮作用が行われず、羽根部材より高い位置に細断屑の盛り上がり部分ができてしまうことがある。このため、収容容器を引き出す際にこの盛り上がり部分が羽根部材と干渉して、細断屑が容器外にこぼれ落ちることがあった。また、後者のシュレッダにおいては、プレス機構またはゴミ容器を昇降させる昇降機構が別途必要となり、複雑な機構を採用しなければならないという問題がある。さらに、プレス機構は一方向に回転するため、細断屑が偏った位置にかたまって溜まってしまうという問題が残されていた。
【００１２】
本発明は上述した従来の各種シュレッダー等の有する問題点に鑑みてなされたものであり、細断屑を屑収容箱にできるだけ均等にならし、さらに圧縮して収容量を増大させることを目的としたものである。また、ならし圧縮機構の周囲に細断屑の盛り上がり部分が生じた場合にも、ならし圧縮機構を昇降させる機構を採用することなく、盛り上がり部分との干渉を排除して細断屑のこぼれ落ちを防止することを目的としている。
【００１３】
【課題を解決するための手段】
上記課題を解決するため、本発明は、シュレッダーの箱体の中段に架設したベース板の下面にモーターベース板を介して細断屑のならし用モーターを取り付け、該ならし用モーターの軸に細断屑をならすローラーユニットを取り付けるという手段を採用した。そして、ローラーユニットは、ならし用モーターの軸に取り付けるユニット芯に放射状に複数のローラーを取り付けたものとした。
【００１４】
かかる構成のならし圧縮装置は、ローラー自体が細断屑の上を回転しながらローラーユニット全体が回転してならし動作を行うので、細断屑を均等にならすとともに、ローラーによって圧縮効果も得ることができる。
【００１５】
また、ローラーユニットが一定時間間隔で正逆交互に回転するようにした。
【００１６】
ローラーユニットが正逆交互に回転することで、細断屑は左右に移動、拡散され、従来より細断屑を均等にならすことができた。
【００１７】
また、ならし用モーターを鉛直方向に対して所定の角度傾けて取り付け、ローラーユニットがシュレッダーの扉側を持ち上げた傾斜面で回転するようにした。
【００１８】
ローラーユニットの回転域の外側には圧縮効果が働かないので、該部に細断屑の盛り上がり部分を生じるが、ローラーユニットを傾斜させておくことによって、屑収容箱を引き出す際にローラーユニットと細断屑の盛り上がり部分との干渉を避けて、細断屑がこぼれ落ちることを防止できるようになった。
【００１９】
さらに、ローラーユニットの扉側を除いた三方向の側面に屑拡散防止枠を設けた。
【００２０】
かかる屑拡散防止枠を設けたことによって、ローラーユニットの回転動作によって細断屑が屑収容箱の外側に飛散することを防止できる。
【００２１】
【発明の実施の形態】
以下、本発明に係るシュレッダーの細断屑ならし圧縮装置の好ましい実施形態を図面について説明する。
図１は本発明装置を備えたシュレッダーの全体側面断面図である。図において１はシュレッダーの箱体であって、底板２、側板３、上部蓋板４等から構成される。５は箱体の前部（図では左側）に開閉自在に設けられる扉である。箱体１は底板２の下面に取り付けたキャスター６、６…によって自由に移動できるようにしている。
【００２２】
シュレッダーの箱体１の内部は、中段に架設したベース板７によって概ね上部空間８と下部空間９に仕切られている。上部空間８において、上部蓋板４には被細断物（廃棄書類等）Ｐの投入口１０が設けられ、その下段に細断部１１が設けられている。この細断部１１は従来から公知の構成であり、例えば段違いに架設された一対の縦切り用カッターからなる。この細断部１１は、この他、縦切り用カッターの下方に横切り用回転カッターや横切り用固定カッター等を設けて、いわゆるクロスカットできるものであってもよい。なお、１２は上記細断部１１を駆動するモーター、１３はモーターの回転力を伝達するチェーンを示す。
【００２３】
また、箱体１の下部空間９において、１４は細断屑Ｑが落下、収容される屑収容箱で、底板２上に扉５から出し入れ可能に配置されている。これらの構成は、従来公知のシュレッダーに広く採用されているものである。
【００２４】
１５は細断部１１の下方に設けた本発明の細断屑ならし圧縮装置であって、上記ベース板７に取り付けたものである。
【００２５】
次に、図２は本装置の分解斜視図、図３は平面図、図４は側面説明図である。これらの図において、１６はベース板７において上記細断部１１の直下に設けた細断屑の落下口である。１７はベース板７の下面に取り付けるモーターベース板で、ローラーユニット１８を回転駆動する細断屑のならし用のモーター１９をモーター穴２０を介して取り付ける。該ならし用モーター１９の軸にはユニット芯２１を取り付け、このユニット芯から放射状にローラー２２、２２…を取り付ける。なお、本実施形態では、ローラー２２を互いに９０度の角度をおいて４本同一平面上に取り付けているが、ローラー２２の数はこれに限定されるものではない。ローラーの大きさは、図３に示すようにその回転面が上記落下口１６と重なるようなものとするのが好ましい。このローラー２２は細断屑を屑収容箱内に均等に落下させるようにするとともに、細断屑が溜まってローラー２２と接触するようになると、細断屑の山の上をローラー自身が回転しながら細断屑をならしつつ、下方に押圧して細断屑を圧縮する作用を奏するものである。
【００２６】
なお、上記ならし用モーター１９及びローラーユニット１８は鉛直方向に対して所定の角度傾けてベース板７に取り付けている。即ち、図４に示すように、ローラーの回転面が扉５側で上方を向くように傾斜させている。これは図６で示すとともに後述するように、ローラーユニット１８と細断屑の山との干渉を防止するために必要である。
【００２７】
また、上記ローラーユニット１８は、図示しない適宜な制御装置を介して回転させるが、このとき、図５に示すように一定時間間隔で正逆交互に回転させるようにしている。これは細断屑の山をできるだけ均等にならし、かつ圧縮するために必要である。
【００２８】
２３は扉側を除いてローラーユニット１８の三方向の側面に設けた屑拡散防止枠で、ベース板７の下面に取り付け、ローラーユニットの回転によって細断屑が四方に飛散することを防止している。
【００２９】
次に、上記構成のならし圧縮装置の動作について説明する。通常、被細断物Ｐを投入口１０に投入するとモーター１２が回転し細断部１１によって細断が開始される。これと連動してならし圧縮装置１５のローラーユニット１８も一定間隔で正逆に回転し、ならし圧縮動作を開始する。細断屑Ｑはシュレッダーの構造上、落下口１６からほぼ一ヶ所に集中して落下してくるが、ローラーユニット１８によって左右に均等に移動、拡散させることができる。
【００３０】
細断屑Ｑの嵩が増して積み上がった細断屑に各ローラー２２の下面が当接するようになると、ローラー２２自体が回転して、細断屑Ｑを左右に拡散させつつ、細断屑を圧縮する作用を同時に行う。そのため、細断屑の収容効率を高めることができる。即ち、従来の羽根状のならし部材では、細断屑を押し広げてならす作用を行うものであったが、本願発明のローラー２２はローラー自体が回転して細断屑Ｑの上面を転がるように移動するので、下方にも圧縮力が働き、効率よく圧縮効果が得られる。
【００３１】
上述したように、ローラーユニット１８は細断開始と同時に回転を開始し、細断途中は常時、一定時間間隔で正逆に回転している。従って、細断屑は常に左右に均等にならされた状態である。そして、図示しない満杯検知センサーによって屑収容箱１４の満杯を検知すると、細断動作を停止させてアラーム等によって屑収容箱１４が満杯であることを作業者に知らせ、屑収容箱の取り替えを促すのである。このとき、細断屑Ｑはローラー２２によって圧縮された状態であるが、ローラーの回転域の外側外周には圧縮作用が働かないから、図６に示すように、細断屑Ｑの外側に屑の盛り上がり部分Ｑ１が生じてしまう。従って、ローラー２２の回転面が水平面であれば、ローラー２２とこの細断屑の盛り上がり部分Ｑ１が干渉して、細断屑の一部を外に落下させてしまうおそれがある。しかしながら本装置では、上述したように、ローラーユニット１８の回転面を扉５側が高くなるように一定角度傾斜させて設置しているため、図６に示すように満杯の屑収容箱１４を扉５側に引き出しても、細断屑の盛り上がり部分Ｑ１がローラー２２と干渉することがない。そのため、細断屑の不用意な落下を完全に防止することができる。
【００３２】
【発明の効果】
以上述べたように、本発明に係る細断屑のならし圧縮装置は、ローラーを放射状に配置したローラーユニットによって細断屑をならし圧縮するようにしているので、ローラーが細断屑を均等にならすとともに、ローラー自体が細断屑上を回転して、下方に圧縮力を作用させ、圧縮効果も同時に得られるものである。そのため、屑収容箱の使用効率を高めることができ、屑収容箱の交換頻度を少なくすることが可能となって、作業者の手間を大幅に低減できるものである。
【００３３】
また、ローラーユニットは一定時間間隔で正逆交互に回転するようにしているので、左右方向に均等に細断屑を移動させることができ、従来の一方向回転のものに比べて、より一層屑収容箱に均等に細断屑を堆積できるようになった。そのため、屑収容箱の使用効率を高め、作業者の手間を軽減できる。
【００３４】
また、ローラーユニットは水平面ではなく、扉側を少し持ちあげた傾斜面で回転するようにしたので、屑収容箱を引き出す際にローラーユニットの回転面の外側にできる細断屑の盛り上がり部分とローラーが干渉することがなく、細断屑が不用意にこぼれ落ちることを防止できるようになった。また、屑拡散防止枠によって細断屑の飛散も確実に防止できる。
【図面の簡単な説明】
【図１】本発明に係るシュレッダーの細断屑ならし圧縮装置を備えたシュレッダーの全体側面断面図である。
【図２】本装置の分解斜視図である。
【図３】本装置の平面図である。
【図４】（Ａ）は本装置の側面説明図、（Ｂ）は屑拡散防止枠の斜視図である。
【図５】本装置の回転方向の説明図である。
【図６】屑収容箱を取り出す際の状態の説明図である。
【符号の説明】
１　　箱体
５　　扉
７　　ベース板
１５　　シュレッダーの細断屑ならし圧縮装置
１７　　モーターベース板
１８　　ローラーユニット
１９　　ならし用モーター
２１　　ユニット芯
２２　　ローラー
２３　　屑拡散防止枠
【図１】
2004008965.tif 000003
【図２】
2004008965.tif 000004
【図３】
2004008965.tif 000005
【図４】
2004008965.tif 000006
【図５】
2004008965.tif 000007
【図６】
2004008965.tif 000008